(57)【要約】      （修正有）【課題】クリック可能なオブジェクトを活性化するユーザインターフェース方法及びその方法を提供する再生装置を提供する。【解決手段】(ａ)動映像の再生中に動映像に含まれたクリック可能なオブジェクトをハイライトする段階２０２と、(ｂ)ハイライトされたクリック可能なオブジェクトを活性化する段階２０４と、を含み、(ａ)段階及び/または(ｂ)段階は、ユーザ入力装置に別途に備えられたＣＬＩＣＫＡＢＬＥ  ＯＢＪＥＣＴボタンが押された場合に動作することを特徴とするクリック可能なオブジェクトを活性化するユーザインターフェース方法である。特に、(ａ)段階及び(ｂ)段階は、ＣＬＩＣＫＡＢＬＥ  ＯＢＪＥＣＴボタンを一回押すか、ＣＬＩＣＫＡＢＬＥ  ＯＢＪＥＣＴボタンを二回押すか、メニュー選択方式を利用するか、または一般ボタンを用いて、少なくとも一つのクリック可能なオブジェクト間にハイライトを順次に移動して、一つのオブジェクトを選択する。【選択図】図４
2006244502.tif 000002
【特許請求の範囲】
【請求項１】
(ａ)動映像の再生中に動映像に含まれたクリック可能なオブジェクトをハイライトする段階と、
(ｂ)ハイライトされたクリック可能なオブジェクトを活性化する段階と、を含み、
前記(ａ)段階及び/または前記(ｂ)段階は、ユーザ入力装置に別途に備えられた特定ボタンが押された場合に動作することを特徴とするユーザインターフェース方法。
【請求項２】
前記特定ボタンが一度押された場合に、前記(ａ)段階及び前記(ｂ)段階が同時に行われることを特徴とする請求項１に記載のユーザインターフェース方法。
【請求項３】
前記特定ボタンが一度押された場合に、前記(ａ)段階が行われ、前記特定ボタンがもう一度押された場合に、前記(ｂ)段階が行われることを特徴とする請求項１に記載のユーザインターフェース方法。
【請求項４】
前記特定ボタンが一度押された場合に、前記(ａ)段階が行われ、前記(ｂ)段階では、メニュー選択方式を用いて、少なくとも一つの前記クリック可能なオブジェクトのうち一つを選択して活性化することを特徴とする請求項１に記載のユーザインターフェース方法。
【請求項５】
前記特定ボタンが一度押された場合に、前記(ａ)段階が行われ、前記(ｂ)段階では、ユーザ入力装置に備えられた一般ボタンを用いて、少なくとも一つの前記クリック可能なオブジェクト間にハイライトを順次に移動して、一つのオブジェクトを選択して活性化することを特徴とする請求項１に記載のユーザインターフェース方法。
【請求項６】
前記(ａ)段階は、動映像の再生中に動映像に含まれた前記クリック可能なオブジェクトを発見すれば、前記特定ボタンが押されたかどうかに関係なく、直ちに前記クリック可能なオブジェクトをハイライトすることを特徴とする請求項２に記載のユーザインターフェース方法。
【請求項７】
前記(ｂ)段階は、前記ユーザ入力装置に備えられた前記特定ボタンが押されれば、前記ハイライトされたクリック可能なオブジェクトを活性化することを特徴とする請求項６に記載のユーザインターフェース方法。
【請求項８】
前記(ａ)段階は、動映像の再生中に動映像に含まれた前記クリック可能なオブジェクトを発見しても、前記特定ボタンが押された場合にのみ前記クリック可能なオブジェクトをハイライトすることを特徴とする請求項３に記載のユーザインターフェース方法。
【請求項９】
前記(ｂ)段階は、前記ユーザ入力装置に備えられた前記特定ボタンが再度押されれば、前記ハイライトされたクリック可能なオブジェクトを活性化することを特徴とする請求項８に記載のユーザインターフェース方法。
【請求項１０】
前記(ａ)段階は、動映像の再生中に動映像に含まれた少なくとも一つの前記クリック可能なオブジェクトを発見すれば、前記特定ボタンが押されたかどうかに関係なく、直ちに前記クリック可能なオブジェクトのリストをポップアップメニューにディスプレイすることを特徴とする請求項４に記載のユーザインターフェース方法。
【請求項１１】
前記(ｂ)段階は、前記ユーザ入力装置に通常備えられた移動ボタンが押されることによって、前記ポップアップメニューのハイライトを移動して、前記クリック可能なオブジェクトのリストのうち、ユーザが活性化しようとするクリック可能なオブジェクトを選択し、前記ユーザ入力装置に通常備えられた選択ボタンが押された場合に、選択されたオブジェクトを活性化することを特徴とする請求項１０に記載のユーザインターフェース方法。
【請求項１２】
前記特定ボタンが押された場合には、前記移動ボタンは、前記クリック可能なオブジェクトのリスト間に移動するためにまず使われ、前記特定ボタンの機能が解除された場合には、本来の機能である一般的な移動ボタンとして使われることを特徴とする請求項１１に記載のユーザインターフェース方法。
【請求項１３】
前記(ａ)段階は、動映像の再生中に動映像に含まれた少なくとも一つの前記クリック可能なオブジェクトを発見すれば、前記特定ボタンが押されたかどうかに関係なく、直ちに前記クリック可能なオブジェクトのうち、一番目のオブジェクトをハイライトすることを特徴とする請求項５に記載のユーザインターフェース方法。
【請求項１４】
前記(ｂ)段階は、前記ユーザ入力装置に備えられた一般ボタンを用いて、少なくとも一つの前記クリック可能なオブジェクト間にハイライトを順次に移動して一つのオブジェクトを選択し、前記ユーザ入力装置に通常備えられた選択ボタンが押された場合に、選択されたオブジェクトを活性化することを特徴とする請求項１３に記載のユーザインターフェース方法。
【請求項１５】
前記ユーザ入力装置に備えられた一般ボタンは、移動ボタンまたはタブボタンを含むことを特徴とする請求項１４に記載のユーザインターフェース方法。
【請求項１６】
前記特定ボタンが押された場合には、前記ユーザ入力装置に備えられた一般ボタンは、前記クリック可能なオブジェクト間に移動するためにまず使われ、前記特定ボタンの機能が解除された場合には、本来の機能である一般ボタンとして使われることを特徴とする請求項１４に記載のユーザインターフェース方法。
【請求項１７】
動映像を再生する装置において、
動映像の再生中に動映像に含まれたクリック可能なオブジェクトをハイライトする手段と、
ハイライトされたクリック可能なオブジェクトを活性化する手段と、を備え、
前記ハイライト及び/または活性化手段は、ユーザ入力装置に別途に備えられた特定ボタンが押された場合に動作することを特徴とする再生装置。
【請求項１８】
前記ハイライト及び活性化手段は、前記特定ボタンが一度押された場合に同時に動作することを特徴とする請求項１７に記載の再生装置。
【請求項１９】
前記ハイライトする手段は、前記特定ボタンが一度押された場合に動作し、前記活性化する手段は、前記特定ボタンがもう一度押された場合に動作することを特徴とする請求項１７に記載の再生装置。
【請求項２０】
前記特定ボタンが一度押された場合に、前記ハイライトする手段が動作し、前記活性化する手段は、メニュー選択方式を用いて、少なくとも一つの前記クリック可能なオブジェクトのうち一つを選択して活性化することを特徴とする請求項１７に記載の再生装置。
【請求項２１】
前記ハイライトする手段は、前記特定ボタンが一度押された場合に動作し、前記活性化する手段は、前記ユーザ入力装置に備えられた一般ボタンを用いて、少なくとも一つの前記クリック可能なオブジェクト間にハイライトを順次に移動して、一つのオブジェクトを選択して活性化することを特徴とする請求項１７に記載の再生装置。
【請求項２２】
動映像を画面に再生する再生部と、
ユーザ入力装置からユーザ入力を受信するユーザインターフェース受信部と、
前記ユーザ入力装置に別途に備えられた特定ボタンが押された場合に、前記画面で再生される動映像に含まれたクリック可能なオブジェクトをハイライトし、前記ハイライトされたオブジェクトを活性化するように制御する制御部と、を備えることを特徴とする動映像再生装置。
【請求項２３】
前記制御部は、前記特定ボタンが一度押された場合に、前記クリック可能なオブジェクトをハイライトし、前記ハイライトされたクリック可能なオブジェクトを活性化するように制御することを特徴とする請求項２２に記載の動映像再生装置。
【請求項２４】
前記制御部は、前記特定ボタンが一度押された場合に、前記クリック可能なオブジェクトをハイライトし、前記特定ボタンがもう一度押された場合に、前記ハイライトされたクリック可能なオブジェクトを活性化するように制御することを特徴とする請求項２２に記載の動映像再生装置。
【請求項２５】
前記制御部は、前記特定ボタンが一度押された場合に、前記クリック可能なオブジェクトをハイライトし、メニュー選択方式を用いて、少なくとも一つのクリック可能なオブジェクトを選択した後に、前記選択されたクリック可能なオブジェクトを活性化するように制御することを特徴とする請求項２２に記載の動映像再生装置。
【請求項２６】
前記制御部は、前記特定ボタンが一度押された場合に、前記クリック可能なオブジェクトをハイライトし、前記ユーザ入力装置に備えられた一般ボタンを用いて、少なくとも一つの前記クリック可能なオブジェクト間にハイライトを順次に移動して、一つのオブジェクトを選択した後に活性化するように制御することを特徴とする請求項２２に記載の動映像再生装置。
【請求項２７】
前記制御部は、動映像の再生中に動映像に含まれた前記クリック可能なオブジェクトを発見すれば、前記特定ボタンが押されたかどうかに関係なく、直ちに前記クリック可能なオブジェクトをハイライトするように制御することを特徴とする請求項２２に記載の動映像再生装置。
【請求項２８】
前記制御部は、前記特定ボタンが押されれば、前記ハイライトされたクリック可能なオブジェクトを活性化するように制御することを特徴とする請求項２７に記載の動映像再生装置。
【請求項２９】
前記制御部は、前記特定ボタンが押され、前記クリック可能なオブジェクトを発見した場合にのみ前記クリック可能なオブジェクトをハイライトするように制御することを特徴とする請求項２２に記載の動映像再生装置。
【請求項３０】
前記制御部は、動映像の再生中に動映像に含まれた少なくとも一つの前記クリック可能なオブジェクトを発見すれば、前記特定ボタンが押されたかどうかに関係なく、クリック可能なオブジェクトのリストをポップアップメニューにディスプレイするように制御することを特徴とする請求項２２に記載の動映像再生装置。
【請求項３１】
前記制御部は、前記ユーザ入力装置に通常備えられた移動ボタンが押されることによって、前記ポップアップメニューのハイライトを移動して、前記クリック可能なオブジェクトのリストのうちユーザが活性化しようとするクリック可能なオブジェクトを選択し、前記ユーザ入力装置に通常備えられた選択ボタンが押された場合に、選択されたオブジェクトを活性化するように制御することを特徴とする請求項３０に記載の動映像再生装置。
【請求項３２】
前記特定ボタンが押された場合には、前記移動ボタンは、前記クリック可能なオブジェクトのリスト間に移動するためにまず使われ、前記特定ボタンの機能が解除された場合には、本来の機能である一般的な移動ボタンとして使われることを特徴とする請求項３１に記載の動映像再生装置。
【請求項３３】
前記制御部は、動映像の再生中に動映像に含まれた少なくとも一つの前記クリック可能なオブジェクトを発見すれば、前記特定ボタンが押されたかどうかに関係なく、直ちに前記クリック可能なオブジェクトのうち、一番目のオブジェクトをハイライトするように制御することを特徴とする請求項３０に記載の動映像再生装置。
【請求項３４】
前記制御部は、前記ユーザ入力装置に備えられた一般ボタンを用いて、少なくとも一つの前記クリック可能なオブジェクト間にハイライトを順次に移動して一つのオブジェクトを選択し、前記ユーザ入力装置に通常備えられた選択ボタンが押された場合に、選択されたオブジェクトを活性化するように制御することを特徴とする請求項３３に記載の動映像再生装置。
【請求項３５】
前記ユーザ入力装置に備えられた一般ボタンは、移動ボタンまたはタブボタンを含むことを特徴とする請求項３３に記載の動映像再生装置。
【請求項３６】
前記特定ボタンが押された場合には、前記一般ボタンは、前記クリック可能なオブジェクト間に移動するためにまず使われ、前記特定ボタンの機能が解除された場合には、本来の機能である一般ボタンとして使われることを特徴とする請求項３３に記載の動映像再生装置。
【発明の詳細な説明】
【技術分野】
【０００１】
本発明は、動映像再生装置に係り、さらに詳細には、クリック可能なオブジェクトを活性化するユーザインターフェース方法及びその方法を提供する再生装置に関する。
【背景技術】
【０００２】
最近、マルチメディア技術の急速な発展に伴って、動映像再生のための多様なマルチメディア用の家電機器(Ｃｕｓｔｏｍｅｒ  Ｅｌｅｃｔｒｏｎｉｃｓ：ＣＥ)が開発されている。特に、地上波放送、衛星放送、ケーブル放送などの多様な放送媒体を通じたデジタルマルチメディア放送(以下、ＤＭＢと略称する)サービスの開始に向けて多様な機能を有する小型マルチメディア機器が開発されている。
【０００３】
ＤＭＢには、ビデオ、オーディオ、テキスト、ハイパーリンク、静止映像などの多様なメディアデータが含まれている。特に、動映像と関連した多様な付加情報を提供するためにハイパーリンクが使われうる。ハイパーリンクは、動映像が再生される画面で特定領域のオブジェクトとして具現される。ユーザが動映像を視聴している途中に特定領域のオブジェクトをクリックすれば、予め定義された付加コンテンツが再生されたり、動映像と関連した特定動作が行われる。以下、動映像に含まれる人物、小品などの個々のオブジェクトのうち、ユーザにより選択可能なボタンのように特定動作が割り当てられたオブジェクトをクリック可能なオブジェクトという。本発明は、動映像画面に含まれたクリック可能なオブジェクトを活性化するユーザインターフェース方法に関する。
【０００４】
一方、従来のコンピュータ環境においては、ハイパーリンクを活性化するためにマウスやジョイスティックのようなポインティングデバイスを使用して該当オブジェクトにカーソルを移動し、アクセツボタンをクリックしてハイパーリンクされた付加機能を活性化させるか、または、タプキーを使用してオブジェクトのフォーカシングを転換し、ＥＮＴＥＲボタンを押して付加機能を活性化させるユーザインターフェース方法が使われた。
【０００５】
しかし、ますます小型化されているマルチメディア機器は、マウスやジョイスティックのようなポインティングデバイスを提供しない場合がほとんどである。たとえポインティングデバイスが提供されるとしても、これを用いて連続して変化する動映像画面で小さなオブジェクトをポインティングすることは、非常に難しくて不便である。特に、小型化趨勢によってディスプレイ画面が小さくなりつつあるので、もっと困難である。
【０００６】
また、タブキーを用いてフォーカシングを転換する場合にも、動映像と関連した付加機能を提供するハイパーリンクだけでなく、ボタンやテキストボックスなどのインタラクティブオブジェクトが全てフォーカシングされて、所望のクリック可能なオブジェクトを探すために多くの時間がかかり、ユーザが非常に不便さを感じるという問題点があった。
【特許文献１】韓国特許公開２００１−０１９４３５号公報
【特許文献２】韓国特許公開２００３−０６０１６９号公報
【発明の開示】
【発明が解決しようとする課題】
【０００７】
本発明が解決しようとする技術的課題は、より簡便で速くクリック可能なオブジェクトを活性化するユーザインターフェース方法を提供することである。
【０００８】
また、本発明が解決しようとする他の技術的課題は、より簡便で速くクリック可能なオブジェクトを活性化するユーザインターフェース方法を提供する再生装置を提供することである。
【課題を解決するための手段】
【０００９】
本発明によって、前記技術的課題は、動映像の再生中に動映像に含まれたクリック可能なオブジェクトをハイライトする段階と、ハイライトされたクリック可能なオブジェクトを活性化する段階とを含み、前記クリック可能なオブジェクトをハイライトする段階及び前記ハイライトされたクリック可能なオブジェクトを活性化する段階は、ユーザ入力装置に別途に備えられた特定ボタンが押された場合に動作することを特徴とするユーザインターフェース方法により達成される。
【００１０】
また、特定ボタンが一度押された場合に、前記クリック可能なオブジェクトをハイライトする段階及び前記ハイライトされたクリック可能なオブジェクトを活性化する段階が同時に行われることが望ましい。
【００１１】
また、特定ボタンが一度押された場合に、前記クリック可能なオブジェクトをハイライトする段階が行われ、特定ボタンがもう一度押された場合に、前記ハイライトされたクリック可能なオブジェクトを活性化する段階が行われることが望ましい。
【００１２】
また、特定ボタンが一度押された場合に、前記クリック可能なオブジェクトをハイライトする段階が行われ、前記ハイライトされたクリック可能なオブジェクトを活性化する段階では、メニュー選択方式を用いて、少なくとも一つのクリック可能なオブジェクトのうち一つを選択して活性化することが望ましい。
【００１３】
また、特定ボタンが一度押された場合に、前記クリック可能なオブジェクトをハイライトする段階が行われ、前記ハイライトされたクリック可能なオブジェクトを活性化する段階では、ユーザ入力装置に備えられた一般ボタンを用いて、少なくとも一つのクリック可能なオブジェクト間にハイライトを順次に移動して、一つのオブジェクトを選択して活性化することが望ましい。
【００１４】
また、前記クリック可能なオブジェクトをハイライトする段階は、動映像の再生中に動映像に含まれたクリック可能なオブジェクトを発見すれば、特定ボタンが押されたかどうかに関係なく、直ちにクリック可能なオブジェクトをハイライトすることが望ましく、前記ハイライトされたクリック可能なオブジェクトを活性化する段階は、ユーザ入力装置に備えられた特定ボタンが押されれば、ハイライトされたクリック可能なオブジェクトを活性化することが望ましい。
【００１５】
また、前記クリック可能なオブジェクトをハイライトする段階は、動映像の再生中に動映像に含まれたクリック可能なオブジェクトを発見しても、特定ボタンが押された場合にのみクリック可能なオブジェクトをハイライトすることが望ましく、前記ハイライトされたクリック可能なオブジェクトを活性化する段階は、ユーザ入力装置に備えられた特定ボタンが再度押されれば、ハイライトされたクリック可能なオブジェクトを活性化することが望ましい。
【００１６】
また、前記クリック可能なオブジェクトをハイライトする段階は、動映像の再生中に動映像に含まれた少なくとも一つのクリック可能なオブジェクトを発見すれば、特定ボタンが押されたかどうかに関係なく、直ちにクリック可能なオブジェクトのリストをポップアップメニューにディスプレイすることが望ましく、前記ハイライトされたクリック可能なオブジェクトを活性化する段階は、ユーザ入力装置に通常備えられた移動ボタンが押されることによって、ポップアップメニューのハイライトを移動してクリック可能なオブジェクトのリストのうちユーザが活性化しようとするクリック可能なオブジェクトを選択し、ユーザ入力装置に通常備えられた選択ボタンが押された場合に、選択されたオブジェクトを活性化することが望ましい。
【００１７】
また、特定ボタンが押された場合には、移動ボタンは、クリック可能なオブジェクトのリスト間に移動するためにまず使われ、特定ボタンの機能が解除された場合には、本来の機能である一般的な移動ボタンとして使われることが望ましい。
【００１８】
また、前記クリック可能なオブジェクトをハイライトする段階は、動映像の再生中に動映像に含まれた少なくとも一つのクリック可能なオブジェクトを発見すれば、特定ボタンが押されたかどうかに関係なく、直ちにクリック可能なオブジェクトのうち、一番目のオブジェクトをハイライトすることが望ましく、前記ハイライトされたクリック可能なオブジェクトを活性化する段階は、ユーザ入力装置に備えられた一般ボタンを用いて、少なくとも一つのクリック可能なオブジェクト間にハイライトを順次に移動して一つのオブジェクトを選択し、ユーザ入力装置に通常備えられた選択ボタンが押された場合に、選択されたオブジェクトを活性化することが望ましい。
【００１９】
また、ユーザ入力装置に備えられた一般ボタンは、移動ボタンまたはタブボタンを含むことが特に望ましい。
【００２０】
一方、本発明の他の分野によれば、前述した技術的課題は、動映像を再生する装置において、動映像の再生中に動映像に含まれたクリック可能なオブジェクトをハイライトする手段と、ハイライトされたクリック可能なオブジェクトを活性化する手段と、を備え、ハイライト及び/または活性化手段は、ユーザ入力装置に別途に備えられた特定ボタンが押された場合に動作することを特徴とする再生装置により達成される。
【００２１】
一方、本発明のさらに他の分野によれば、前記技術的課題は、動映像を画面に再生する再生部と、ユーザ入力装置からユーザ入力を受信するユーザインターフェース受信部と、前記ユーザ入力装置に別途に備えられた特定ボタンが押された場合に、前記画面で再生される動映像に含まれたクリック可能なオブジェクトをハイライトし、前記ハイライトされたオブジェクトを活性化するように制御する制御部とを備えることを特徴とする動映像再生装置により達成される。
【００２２】
また、前記制御部は、前記特定ボタンが一度押された場合に、前記クリック可能なオブジェクトをハイライトし、前記ハイライトされたクリック可能なオブジェクトを活性化するように制御することが望ましい。選択的に、前記制御部は、前記特定ボタンが一度押された場合に、前記クリック可能なオブジェクトをハイライトし、前記特定ボタンがもう一度押された場合に、前記ハイライトされたクリック可能なオブジェクトを活性化するように制御することが望ましい。
【００２３】
また、前記制御部は、前記特定ボタンが一度押された場合に、前記クリック可能なオブジェクトをハイライトし、メニュー選択方式を用いて、少なくとも一つのクリック可能なオブジェクトを選択した後に、前記選択されたクリック可能なオブジェクトを活性化するように制御することが望ましい。選択的に、前記制御部は、前記特定ボタンが一度押された場合に、前記クリック可能なオブジェクトをハイライトし、前記ユーザ入力装置に備えられた一般ボタンを用いて、少なくとも一つの前記クリック可能なオブジェクト間にハイライトを順次に移動して、一つのオブジェクトを選択した後に活性化するように制御することが望ましい。
【００２４】
また、前記制御部は、動映像の再生中に動映像に含まれた前記クリック可能なオブジェクトを発見すれば、前記特定ボタンが押されたかどうかに関係なく、直ちに前記クリック可能なオブジェクトをハイライトするように制御することが望ましい。選択的に、前記制御部は、前記特定ボタンが押され、前記クリック可能なオブジェクトを発見した場合にのみ前記クリック可能なオブジェクトをハイライトするように制御することが望ましい。
【００２５】
また、前記制御部は、動映像の再生中に動映像に含まれた少なくとも一つの前記クリック可能なオブジェクトを発見すれば、前記特定ボタンが押されたかどうかに関係なく、クリック可能なオブジェクトのリストをポップアップメニューにディスプレイするように制御することが望ましい。また、前記制御部は、前記ユーザ入力装置に通常備えられた移動ボタンが押されることによって、前記ポップアップメニューのハイライトを移動して、前記クリック可能なオブジェクトのリストのうちユーザが活性化しようとするクリック可能なオブジェクトを選択し、前記ユーザ入力装置に通常備えられた選択ボタンが押された場合に、選択されたオブジェクトを活性化するように制御することが望ましい。選択的に、前記制御部は、前記ユーザ入力装置に備えられた一般ボタンを用いて、少なくとも一つの前記クリック可能なオブジェクト間にハイライトを順次に移動して一つのオブジェクトを選択し、前記ユーザ入力装置に通常備えられた選択ボタンが押された場合に、選択されたオブジェクトを活性化するように制御することが望ましい。
【発明の効果】
【００２６】
本発明によれば、より簡便で速くクリック可能なオブジェクトを活性化するユーザインターフェース方法及びそのユーザインターフェース方法を提供する再生装置が提供される。
【００２７】
すなわち、ユーザは、連続して変化する動映像画面でもユーザ入力手段に別途に備えられるＣＬＩＣＫＡＢＬＥ  ＯＢＪＥＣＴボタンを用いて、さらに速くて便利にクリック可能なオブジェクトを活性化できる。また、ＣＬＩＣＫＡＢＬＥ  ＯＢＪＥＣＴボタンを用いて多様で柔軟にクリック可能なオブジェクトを活性化できる。
【発明を実施するための最良の形態】
【００２８】
以下、添付された図面を参照して、本発明の望ましい実施形態を詳細に説明する。
【００２９】
図１は、本発明によるクリック可能なオブジェクトを含む動映像が再生またはディスプレイされる画面の一例を示す写真である。図１を参照するに、動映像画面１００にクリック可能なオブジェクト１１０が含まれうる。ユーザが動映像１００を視聴している途中に、特定領域のオブジェクト、すなわちクリック可能なオブジェクト１１０を活性化すれば、予め定義された付加コンテンツが再生されるか、動映像１００と関連した特定動作が行われる。本発明で説明するクリック可能なオブジェクト１１０は、一般ボタンやテキストボックスのようなインタラクティブオブジェクトとは区別されると仮定する。本発明は、動映像画面１００に含まれたクリック可能なオブジェクト１１０をさらに簡便で速く活性化できる方法を提示する。
【００３０】
図２は、本発明によるクリック可能なオブジェクトを活性化するためのユーザ入力手段の一例を示す図である。図２を参照するに、本発明によるユーザ入力手段２としてリモコンの一例が示されているが、ユーザ入力手段２は、リモコンに限定されず、動映像を提供する携帯電話のキーパッドや、ＤＶＤプレーヤーのような再生装置のフロントパネルなど多様な形態のユーザ入力手段を包括する概念である。
【００３１】
本発明による再生装置のユーザ入力手段２には、従来の一般的なボタンと別途に、クリック可能なオブジェクトを活性化するためのＣｌｉｃｋａｂｌｅ  ＯＢＪＥＣＴボタン１０２が備えられる。また、本発明による再生装置のユーザ入力手段２には、一般的なリモコンや携帯電話キーパッドなどに備えられる上下左右の４方向移動ボタン１０６や、所定のオブジェクトを選択するＥＮＴＥＲまたはＳＥＬＥＣＴボタン１０４が備えられる。具体的な具現例によって前記の各ボタンの名称を多様に変形できることはもちろんである。
【００３２】
本発明によってユーザ入力手段２に別途に備えられるＣｌｉｃｋａｂｌｅ  ＯＢＪＥＣＴボタン１０２は、現在再生中である動映像画面に含まれたクリック可能なオブジェクト１００をより便利に活性化する機能を提供する。
【００３３】
図３は、本発明によるクリック可能なオブジェクトを活性化する手段を備えた再生装置の一例を示すブロック図である。図３を参照するに、図２で述べた本発明によるユーザ入力手段２を通じてユーザから所定の入力を受けて動映像に含まれたクリック可能なオブジェクト１００を活性化する機能を提供する再生装置1が図示される。本発明による再生装置１は、ユーザインターフェース受信部１０、制御部２０及び再生部３０を備える。
【００３４】
ユーザインターフェース受信部１０は、図２で述べたユーザ入力手段２を通じてユーザ入力を受信する。制御部２０は、受信されたユーザ入力によってクリック可能なオブジェクト１００を活性化して、これを再生部３０を通じて再生する。再生部２０は、動映像データを再生する他に、クリック可能なオブジェクトが活性化されると、予め定義された付加コンテンツを再生するか、または予め定義された付加機能を行う。
【００３５】
特に、制御部２０は、後述する多様なシナリオによってクリック可能なオブジェクトをハイライトする手段(図示せず)及びハイライトされたクリック可能なオブジェクトを活性化する手段(図示せず)を備える。本発明による再生装置１は、動映像の再生中に動映像に含まれたクリック可能なオブジェクトをハイライトし、ハイライトされたクリック可能なオブジェクトを活性化し、特に前述したユーザ入力手段２に別途に備えられたＣＬＩＣＫＡＢＬＥ  ＯＢＪＥＣＴボタンが押された場合に、前述した動作を行うことを特徴とする。
【００３６】
以下、前述した再生装置１及びユーザ入力手段２の構成に基づき、本発明によってクリック可能なオブジェクトを活性化する方法を説明する。さらに具体的に、本発明による多様な実施形態として図４ないし図７は、４種のシナリオによってＣＬＩＣＫＡＢＬＥ  ＯＢＪＥＣＴボタンを用いてクリック可能なオブジェクトを活性化するユーザインターフェース方法を詳細に説明する。
【００３７】
図４は、本発明の一実施形態によって一回のボタン入力でクリック可能なオブジェクトを活性化する方法を示したフローチャートである。図４を参照するに、一回のボタン入力でクリック可能なオブジェクトを活性化するために、まず、本発明による再生装置１は、動映像の再生中に動映像に含まれたクリック可能なオブジェクト１００を発見すれば、特定ボタンが押されたかどうかに関係なく自動的にクリック可能なオブジェクトをハイライトする(２０２段階)。この場合、該当動映像画面にクリック可能なオブジェクトが一つ含まれていると仮定する。次に、ユーザがユーザ入力手段２を通じて別途に備えられたＣＬＩＣＫＡＢＬＥ  ＯＢＪＥＣＴボタン１０２を押すと、ハイライトされていたクリック可能なオブジェクトを活性化する(２０４段階)。これにより、ＣＬＩＣＫＡＢＬＥ  ＯＢＪＥＣＴボタンを一度クリックすることによって、便利にクリック可能なオブジェクトを活性化できる。
【００３８】
図５は、本発明の一実施形態によって二回のボタン入力でクリック可能なオブジェクトを活性化する方法を示したフローチャートである。図５を参照するに、二回のボタン入力でクリック可能なオブジェクトを活性化するために、まず、再生装置１が動映像の再生中に動映像に含まれたクリック可能なオブジェクトを発見しても、クリック可能なオブジェクトをハイライトせず(２１２段階)、ＣＬＩＣＫＡＢＬＥ  ＯＢＪＥＣＴボタン１０２を一度押した場合に、はじめてクリック可能なオブジェクトをハイライトする(２１４段階)。この場合にも、該当動映像画面にクリック可能なオブジェクトが一つ含まれていると仮定する。次に、ユーザがユーザ入力手段２を通じてＣＬＩＣＫＡＢＬＥ  ＯＢＪＥＣＴボタンをもう一度押すと、ハイライトされていたクリック可能なオブジェクトを活性化する(２１６段階)。これにより、ＣＬＩＣＫＡＢＬＥ  ＯＢＪＥＣＴボタンを二回クリックすることによって、便利にクリック可能なオブジェクトを活性化できる。
【００３９】
図６は、本発明の一実施形態によってメニュー選択方式を用いてクリック可能なオブジェクトを活性化する方法を示したフローチャートである。図６を参照するに、メニュー選択方式を用いてクリック可能なオブジェクトを活性化するために、まず、再生装置１が動映像の再生中に動映像に含まれたクリック可能なオブジェクトを発見しても、クリック可能なオブジェクトをハイライトせず(２２０段階)、ＣＬＩＣＫＡＢＬＥ  ＯＢＪＥＣＴボタン１０２を一度押した場合に、はじめてクリック可能なオブジェクトのリストをポップアップメニューにディスプレイする(２２２段階)。この場合には、該当動映像画面にクリック可能なオブジェクトが少なくとも一つ以上含まれていると仮定する。次に、ユーザがユーザ入力手段２に一般的に備えられる４方向移動ボタン１０６を用いて所望の特定オブジェクトに移動すれば、これによって該当オブジェクトにハイライトを移動する(２２４段階)。最後に、ユーザがＥＮＴＥＲまたはＳＥＬＥＣＴのようなユーザ入力手段２に一般的に備えられる選択ボタン１０４を押すと、ハイライトされていたクリック可能なオブジェクトを活性化する(２２６段階)。これにより、メニュー方式を用いて複数のクリック可能なオブジェクトのうち一つを便利に活性化できる。
【００４０】
この時、ＣＬＩＣＫＡＢＬＥ  ＯＢＪＥＣＴボタン１０２が押された場合には、４方向移動ボタン１０６は、クリック可能なオブジェクトのリスト間に移動するためにまず使われるが、特定ボタンの機能が解除された場合には、本来の機能である一般的な移動ボタンとして使われることが望ましい。
【００４１】
図７は、本発明の一実施形態によって一般ボタンを用いて、少なくとも一つのクリック可能なオブジェクト間にハイライトを順次に移動して、一つのオブジェクトを選択する方式を用いてクリック可能なオブジェクトを活性化する方法を示したフローチャートである。図７を参照するに、クリック可能なオブジェクトを活性化するために、まず、本発明による再生装置１は、動映像の再生中に動映像に含まれたクリック可能なオブジェクトを発見すれば、特定ボタンが押されたかどうかに関係なく、自動的にクリック可能なオブジェクトのうち、一番目のオブジェクトをハイライトする(２３２段階)。この場合には、該当動映像画面にクリック可能なオブジェクトが少なくとも一つ以上含まれていると仮定する。次に、ユーザがユーザ入力手段２に一般的に備えられた４方向移動ボタン１０６またはタブボタンを用いて所望の特定オブジェクトに移動すれば、これにより該当オブジェクトにハイライトを移動する(２３４段階)。最後に、ユーザがＥＮＴＥＲまたはＳＥＬＥＣＴのようなユーザ入力手段２に一般的に備えられる選択ボタン１０４を押すと、ハイライトされていたクリック可能なオブジェクトを活性化する(２３６段階)。これによって、一般ボタンを用いて、少なくとも一つのクリック可能なオブジェクト間にハイライトを順次に移動して、一つのオブジェクトを選択する方式を用いて複数のクリック可能なオブジェクトのうち一つを便利に活性化できる。
【００４２】
この時、ＣＬＩＣＫＡＢＬＥ  ＯＢＪＥＣＴボタン１０２が押された場合には、４方向移動ボタン１０６やタブボタンなどは、クリック可能なオブジェクトのリスト間に移動するためにまず使われるが、特定ボタンの機能が解除された場合には、本来の機能である一般的な移動ボタンとして使われることが望ましい。
【００４３】
前述した４種のシナリオは、本発明によるユーザインターフェース方法の一例に過ぎず、多様な変形及びシナリオが可能であることはもちろんである。
【００４４】
一方、本発明にクリック可能なオブジェクトを活性化するユーザインターフェース方法は、コンピュータプログラムとして作成可能である。前記プログラムを構成するコード及びコードセグメントは、当分野のコンピュータプログラマーによって容易に推論できる。また、前記プログラムは、コンピュータで読み取り可能な情報保存媒体に保存され、コンピュータによって読み取られ、かつ実行されることによって、クリック可能なオブジェクトを活性化するユーザインターフェース方法を具現する。前記情報記録媒体は、磁気記録媒体、光記録媒体、及びキャリアウェーブ媒体を含む。
【００４５】
以上、本発明についてその望ましい実施形態を中心に説明した。当業者は、本発明が、本発明の本質的な特性から逸脱しない範囲で変形された形態で具現できることが分かるであろう。したがって、開示された実施形態は、限定的な観点ではなく、説明的な観点で考慮されねばならない。本発明の範囲は、前述した説明ではなく、特許請求の範囲に表れており、それと同等な範囲内にある全ての差異点は、本発明に含まれたものと解釈されねばならない。
【産業上の利用可能性】
【００４６】
本発明は、動映像関連の技術分野に好適に用いられる。
【図面の簡単な説明】
【００４７】
【図１】本発明によるクリック可能なオブジェクトを含む動映像が再生またはディスプレイされる画面の一例を示す写真である。
【図２】本発明によるクリック可能なオブジェクトを活性化するためのユーザ入力手段の一例を示す図である。
【図３】本発明によるクリック可能なオブジェクトを活性化する手段を備えた再生装置の一例を示すブロック図である。
【図４】本発明の一実施形態によって、一回のボタン入力でクリック可能なオブジェクトを活性化する方法を示したフローチャートである。
【図５】本発明の一実施形態によって、二回のボタン入力でクリック可能なオブジェクトを活性化する方法を示したフローチャートである。
【図６】本発明の一実施形態によって、メニュー選択方式を用いてクリック可能なオブジェクトを活性化する方法を示したフローチャートである。
【図７】本発明の一実施形態によって、一般ボタンを用いて、少なくとも一つのクリック可能なオブジェクト間にハイライトを順次に移動して、一つのオブジェクトを選択する方式を用いて、クリック可能なオブジェクトを活性化する方法を示したフローチャートである。
【符号の説明】
【００４８】
１      再生装置
２      ユーザ入力手段
１０    ユーザインターフェース受信部
２０    制御部
３０    再生部
１００  動映像画面
１０２  Ｃｌｉｃｋａｂｌｅ  ＯＢＪＥＣＴボタン
１０４  選択ボタン
１０６  移動ボタン
１１０  クリック可能なオブジェクト
【図２】
2006244502.tif 000003
【図３】
2006244502.tif 000004
【図４】
2006244502.tif 000005
【図５】
2006244502.tif 000006
【図６】
2006244502.tif 000007
【図７】
2006244502.tif 000008
【図１】
2006244502.tif 000009